(57)【要約】【課題】光ディスク記録装置において、光ディスクの記録品質を全周に亘って向上する。【解決手段】ユーザによって光ディスクへの記録開始が選択されると（Ｓ１４）、マイクロプロセッサは、それが新規な記録であるか否かを判別し（Ｓ１５）、ＹＥＳであれば事前に光ディスクから読取った製品ＩＤに基づいて、ＥＥＰＲＯＭに記憶されているターゲット値の中から製品ＩＤに対応する最内周のターゲット値を読出して設定し（Ｓ１６）、ＮＯであれば直前記録時の記録パワー設定値の記録があるか否かを判別する（Ｓ１７）。判別の結果、ＮＯであれば光ディスクの製品ＩＤに基づいて、ターゲット値の中から製品ＩＤに対応するターゲット値であり、事前に検出した記録終了位置に最も近いターゲット値を読出して設定する（Ｓ１９）。判別の結果、ＹＥＳであれば記録パワー設定値を取得し（Ｓ２０）、その記録パワー設定値を最適記録パワーとして設定する（Ｓ２２）。【選択図】図３
2007310973.tif 000002
【特許請求の範囲】
【請求項１】
レーザ光を照射して光ディスクにデータ又はテストデータを記録する光ピックアップと、
前記光ピックアップから異なるパワーのレーザ光を光ディスクのパワーキャリブレーションエリア（以下、ＰＣＡという）に対して照射してテストデータを記録し、再生して得られる再生信号のアシンメトリ値が所定の値（以下、ターゲット値という）に一致するときのレーザパワーを最適記録パワーとして設定する最適記録パワー設定手段と、
前記ターゲット値が光ディスクの製品ＩＤごとに記憶されたターゲット値メモリと、
装置に装填された光ディスクに記録されている製品ＩＤを読取るＩＤ読取手段と、
前記ＩＤ読取手段によって読取られた光ディスクの製品ＩＤに基づいて前記ターゲット値メモリから現在装填されている光ディスクに対応するターゲット値を読出すターゲット値読出し手段と、を備え、
光ディスクに対してデータの記録を行うときに、前記最適記録パワー設定手段が前記ターゲット値読出し手段によって読出されたターゲット値に基づいて最適記録パワーの設定を行う光ディスク記録装置において、
前記ターゲット値メモリに記憶される光ディスクの製品ごとのターゲット値が、さらに光ディスクの径方向位置ごとに細分化されて記憶され、
光ディスクに対してデータの記録を行うときの径方向における記録位置を検出する記録位置検出手段と、
装置に装填された光ディスクが未記録ディスクか既記録ディスクのいずれであるかを判別するディスク判別手段と、
前記ディスク判別手段による判別の結果、装填された光ディスクが既記録ディスクである場合に、光ディスクの既記録部分に直前の記録時の記録パワーの設定値が含まれるか否かを判別する設定値有無判別手段と、
前記設定値有無判別手段による判別の結果、前記既記録部分に直前の記録時の記録パワーの設定値が含まれる場合に、その記録パワーの設定値を読出して記憶する記録パワー記憶手段と、を備え、
光ディスクに対してデータの記録を行うときに、
前記ディスク判別手段による判別の結果、装填された光ディスクが未記録ディスクである場合に、前記ターゲット値読出し手段は、前記ＩＤ読取手段によって読取られた光ディスクの製品ＩＤに基づいて選択された光ディスクの製品ごとのターゲット値のうち径方向最内周位置に対応するターゲット値を読出し、
前記設定値有無判別手段による判別の結果、前記既記録部分に直前の記録時の記録パワーの設定値が含まれない場合に、前記ターゲット値読出し手段は、前記ＩＤ読取手段によって読取られた光ディスクの製品ＩＤに基づいて選択された光ディスクの製品ごとのターゲット値のうち前記記録位置検出手段によって検出される径方向記録位置に相当するターゲット値を読出し、
前記最適記録パワー設定手段は、前記ディスク判別手段による判別の結果、装填された光ディスクが未記録ディスクである場合、及び前記設定値有無判別手段による判別の結果、前記既記録部分に直前の記録時の記録パワーの設定値が含まれない場合に、前記ターゲット値読出し手段によって読出されたターゲット値に基づいて最適記録パワーを設定し、前記設定値有無判別手段による判別の結果、前記既記録部分に直前の記録時の記録パワーの設定値が含まれる場合に、前記記録パワー記憶手段によって記憶された記録パワー設定値を最適記録パワーに設定し、前記光ピックアップは、前記最適記録パワー設定手段によって設定された記録パワーでレーザ光を照射して、光ディスクの全周に対する記録品質を向上させることを特徴とする光ディスク記録装置。
【請求項２】
レーザ光を照射して光ディスクにデータ又はテストデータを記録する光ピックアップと、
前記光ピックアップから異なるパワーのレーザ光を光ディスクのＰＣＡに対して照射してテストデータを記録し、再生して得られる再生信号のアシンメトリ値がターゲット値に一致するときのレーザパワーを最適記録パワーとして設定する最適記録パワー設定手段と、
前記ターゲット値が光ディスクの製品ＩＤごとに記憶されたターゲット値メモリと、
装置に装填された光ディスクに記録されている製品ＩＤを読取るＩＤ読取手段と、
前記ＩＤ読取手段によって読取られた光ディスクの製品ＩＤに基づいて前記ターゲット値メモリから現在装填されている光ディスクに対応するターゲット値を読出すターゲット値読出し手段と、を備え、
光ディスクに対してデータの記録を行うときに、最適記録パワー設定手段が前記ターゲット値読出し手段によって読出されたターゲット値に基づいて最適記録パワーの設定を行う光ディスク記録装置において、
前記ターゲット値メモリに記憶される光ディスクの製品ごとのターゲット値が、光ディスクに対してデータの記録を行うときの記録位置、記録速度等の記録条件ごとに、さらに細分化されて記憶され、
光ディスクに対してデータの記録を行うときの記録位置、記録速度等の記録条件を検出する記録条件検出手段を備え、
光ディスクに対してデータの記録を行うときに、前記ターゲット値読出し手段は、前記ＩＤ読取手段によって読取られた製品ＩＤに対応するターゲット値の中から、さらに前記記録条件検出手段によって検出される記録条件に対応するターゲット値を選択して読出し、前記最適記録パワー設定手段は、前記ターゲット値読出し手段によって読出されたターゲット値に基づいて最適記録パワーを設定し、前記光ピックアップは、前記最適記録パワー設定手段によって設定された記録パワーでレーザ光を照射して、光ディスクの全周に対する記録品質を向上させることを特徴とする光ディスク記録装置。
【請求項３】
前記記録条件が、光ディスクに対してデータの記録を行うときの径方向における記録位置であることを特徴とする請求項２に記載の光ディスク記録装置。
【発明の詳細な説明】
【技術分野】
【０００１】
本発明は、光ディスク記録装置に関する。
【背景技術】
【０００２】
光ディスク記録装置では、光ピックアップからレーザ光を光ディスクに照射してデータを記録するときのレーザパワーを最適に設定するために、光ディスクに対してデータの記録を行う前に、光ディスク上のパワーキャリブレーションエリア（以下、ＰＣＡという）に異なるレーザパワーによってテストデータを記録し、このテストデータを再生して得られる再生信号のアシンメトリ値が所定の値（以下、ターゲット値という）に一致するときのレーザパワーを最適記録パワーとして設定する最適記録パワー設定動作が行われる。
【０００３】
ところで上記ターゲット値は、各光ディスク記録装置内のメモリに予め記憶された一定の値である場合には、次のような不具合が生じる。
【０００４】
例えば、Ａ社製の光ディスク記録装置によって光ディスクの途中までデータを記録し、その後Ｂ社製の光ディスク記録装置によって同一の光ディスクにデータを追加記録したときに、Ａ社製の光ディスク記録装置によって記録された部分のアシンメトリ値とＢ社製の光ディスク記録装置によって追加記録された部分のアシンメトリ値が大きく異なる場合が生じる。上記のようにして記録された光ディスクは、アシンメトリ値が急激に変化する境界部分において再生時にエラーが生じる虞がある。
【０００５】
上記のような不具合を防止するために、最適記録パワー設定動作を行うときに、光ディスクの記録予定領域の直前に既記録データが存在するか否かを検出し、既記録データが存在する場合には、そのデータを再生し、得られる再生信号からアシンメトリ値を算出して、算出されたアシンメトリ値をターゲット値として設定し、データが存在しない場合には装置内のメモリに予め記憶された値をターゲット値として設定するデータ記録装置が知られている（例えば、特許文献１参照）。
【特許文献１】特開平８−５０７２２号公報
【発明の開示】
【発明が解決しようとする課題】
【０００６】
一方、光ディスクは、レーザ光が照射されたときのデータ信号が形成される特性が製造メーカによって異なる。このことから、光ディスクが異なった製造メーカ製のものであっても常に良好なデータ記録がなされるようにするために、最適記録パワー設定時に用いられるターゲット値が、現在装填されている光ディスクの製造メーカに対応するターゲット値に設定されるように構成された従来装置が知られている。
【０００７】
具体的には、光ディスク記録装置が備えるターゲット値のメモリ内に製品ＩＤごとのターゲット値が格納され、光ディスクが記録装置に装填されたときに、その光ディスクの製品ＩＤが読取られ、最適記録パワーの設定が行われるときに読取られた製品ＩＤに対応したターゲット値がターゲット値のメモリから選択的に読出される従来装置が知られている。
【０００８】
ところが、光ディスクにおけるレーザ光が照射されることによるデータ信号の形成特性は、光ディスクの製品ＩＤごとによって異なる以外に、例えば光ディスクへのデータの記録位置（ディスクの径方向位置）、記録速度等の記録条件によっても変化することが知られている。
【０００９】
従って、これらの記録条件の変化を反映させたターゲット値の設定を行わず、製品ＩＤごとに一律のターゲット値を最適記録パワー設定の基準にする従来装置の場合には、記録された光ディスクが再生されるときに再生エラーが生じる虞が充分には解消されていない。
【００１０】
なお、光ディスクへの記録位置が変化することによって適正なターゲット値（アシンメトリ値）が変化する原因としては、光ディスクの製造工程においてディスクの表面に色素をスピンコートすることによって形成される色素の膜厚のむらや、装置に装填されたときの光ディスクの反り等が考えられる。
【００１１】
そこで、本発明は、データの記録を行うときの記録位置、記録速度等の記録条件の変化を反映させたターゲット値が最適記録パワー設定手段に与えられるようにして、記録された光ディスクの全周に対する記録品質を向上させることができる光ディスク記録装置を提供することを目的とする。
【課題を解決するための手段】
【００１２】
上記目的を達成するために請求項１の発明は、レーザ光を照射して光ディスクにデータ又はテストデータを記録する光ピックアップと、前記光ピックアップから異なるパワーのレーザ光を光ディスクのパワーキャリブレーションエリア（以下、ＰＣＡという）に対して照射してテストデータを記録し、再生して得られる再生信号のアシンメトリ値が所定の値（以下、ターゲット値という）に一致するときのレーザパワーを最適記録パワーとして設定する最適記録パワー設定手段と、前記ターゲット値が光ディスクの製品ＩＤごとに記憶されたターゲット値メモリと、装置に装填された光ディスクに記録されている製品ＩＤを読取るＩＤ読取手段と、前記ＩＤ読取手段によって読取られた光ディスクの製品ＩＤに基づいて前記ターゲット値メモリから現在装填されている光ディスクに対応するターゲット値を読出すターゲット値読出し手段と、を備え、光ディスクに対してデータの記録を行うときに、前記最適記録パワー設定手段が前記ターゲット値読出し手段によって読出されたターゲット値に基づいて最適記録パワーの設定を行う光ディスク記録装置において、前記ターゲット値メモリに記憶される光ディスクの製品ごとのターゲット値が、さらに光ディスクの径方向位置ごとに細分化されて記憶され、光ディスクに対してデータの記録を行うときの径方向における記録位置を検出する記録位置検出手段と、装置に装填された光ディスクが未記録ディスクか既記録ディスクのいずれであるかを判別するディスク判別手段と、前記ディスク判別手段による判別の結果、装填された光ディスクが既記録ディスクである場合に、光ディスクの既記録部分に直前の記録時の記録パワーの設定値が含まれるか否かを判別する設定値有無判別手段と、前記設定値有無判別手段による判別の結果、前記既記録部分に直前の記録時の記録パワーの設定値が含まれる場合に、その記録パワーの設定値を読出して記憶する記録パワー記憶手段と、を備え、光ディスクに対してデータの記録を行うときに、前記ディスク判別手段による判別の結果、装填された光ディスクが未記録ディスクである場合に、前記ターゲット値読出し手段は、前記ＩＤ読取手段によって読取られた光ディスクの製品ＩＤに基づいて選択された光ディスクの製品ごとのターゲット値のうち径方向最内周位置に対応するターゲット値を読出し、前記設定値有無判別手段による判別の結果、前記既記録部分に直前の記録時の記録パワーの設定値が含まれない場合に、前記ターゲット値読出し手段は、前記ＩＤ読取手段によって読取られた光ディスクの製品ＩＤに基づいて選択された光ディスクの製品ごとのターゲット値のうち前記記録位置検出手段によって検出される径方向記録位置に相当するターゲット値を読出し、前記最適記録パワー設定手段は、前記ディスク判別手段による判別の結果、装填された光ディスクが未記録ディスクである場合、及び前記設定値有無判別手段による判別の結果、前記既記録部分に直前の記録時の記録パワーの設定値が含まれない場合に、前記ターゲット値読出し手段によって読出されたターゲット値に基づいて最適記録パワーを設定し、前記設定値有無判別手段による判別の結果、前記既記録部分に直前の記録時の記録パワーの設定値が含まれる場合に、前記記録パワー記憶手段によって記憶された記録パワー設定値を最適記録パワーに設定し、前記光ピックアップは、前記最適記録パワー設定手段によって設定された記録パワーでレーザ光を照射して、光ディスクの全周に対する記録品質を向上させることを特徴とする。
【００１３】
請求項２の発明は、レーザ光を照射して光ディスクにデータ又はテストデータを記録する光ピックアップと、前記光ピックアップから異なるパワーのレーザ光を光ディスクのＰＣＡに対して照射してテストデータを記録し、再生して得られる再生信号のアシンメトリ値がターゲット値に一致するときのレーザパワーを最適記録パワーとして設定する最適記録パワー設定手段と、前記ターゲット値が光ディスクの製品ＩＤごとに記憶されたターゲット値メモリと、装置に装填された光ディスクに記録されている製品ＩＤを読取るＩＤ読取手段と、前記ＩＤ読取手段によって読取られた光ディスクの製品ＩＤに基づいて前記ターゲット値メモリから現在装填されている光ディスクに対応するターゲット値を読出すターゲット値読出し手段と、を備え、光ディスクに対してデータの記録を行うときに、最適記録パワー設定手段が前記ターゲット値読出し手段によって読出されたターゲット値に基づいて最適記録パワーの設定を行う光ディスク記録装置において、前記ターゲット値メモリに記憶される光ディスクの製品ごとのターゲット値が、光ディスクに対してデータの記録を行うときの記録位置、記録速度等の記録条件ごとに、さらに細分化されて記憶され、光ディスクに対してデータの記録を行うときの記録位置、記録速度等の記録条件を検出する記録条件検出手段を備え、光ディスクに対してデータの記録を行うときに、前記ターゲット値読出し手段は、前記ＩＤ読取手段によって読取られた製品ＩＤに対応するターゲット値の中から、さらに前記記録条件検出手段によって検出される記録条件に対応するターゲット値を選択して読出し、前記最適記録パワー設定手段は、前記ターゲット値読出し手段によって読出されたターゲット値に基づいて最適記録パワーを設定し、前記光ピックアップは、前記最適記録パワー設定手段によって設定された記録パワーでレーザ光を照射して、光ディスクの全周に対する記録品質を向上させることを特徴とする。
【００１４】
請求項３の発明は、請求項２の発明において、前記記録条件が、光ディスクに対してデータの記録を行うときの径方向における記録位置であることを特徴とする。
【発明の効果】
【００１５】
請求項１の発明によれば、ターゲット値メモリに記憶される光ディスクの製品ごとのターゲット値が、光ディスクの径方向位置ごとに細分化されて記憶され、装填された光ディスクが未記録ディスクである場合に、ターゲット値メモリに記憶されたターゲット値のうち径方向最内周位置に対応するターゲット値が読出され、そのターゲット値に基づいて最適記録パワーが設定され、装填された光ディスクが既記録ディスクであって、直前の記録時の記録パワーの設定値が記録されていない場合に、ターゲット値メモリに記憶されたターゲット値のうち径方向記録位置に相当するターゲット値が読出され、そのターゲット値に基づいて最適記録パワーが設定され、装填された光ディスクが既記録ディスクであって、直前の記録時の記録パワーの設定値が記録されている場合に、その記録された記録パワーが最適記録パワーに設定されるので、光ディスクの全周に対する記録品質が向上され、しかも処理速度が速く短時間のうちにデータの記録が開始される。
【００１６】
請求項２の発明によれば、ターゲット値メモリに記憶される光ディスクの製品ごとのターゲット値が、光ディスクに対してデータの記録を行うときの記録条件ごとに細分化されて記憶され、光ディスクに対してデータの記録を行うときに、記録条件に対応するターゲット値が選択して読出され、そのターゲット値に基づいて最適記録パワーが設定されるので、光ディスクの全周に対する記録品質が向上される。
【発明を実施するための最良の形態】
【００１７】
以下、本発明の一実施形態に係る光ディスク記録装置について、図面を参照して説明する。本実施形態では、ＰＣＡを有する書換え可能型光ディスク（例えば、ＤＶＤ−ＲＷ）が装填され、その光ディスクへ映像情報、製品ＩＤを含むディスク情報等の種々の情報（データ）が記録可能であり、かつ記録した情報を再生又は消去可能な光ディスク記録装置に本発明を適用した例について説明する。
【００１８】
本実施形態の光ディスク記録装置１は、図１に示されるように、装填された光ディスク２に所定回転数の回転を与えるスピンドルモータ３と、光ディスク２の下方においてフィードモータ（不図示）により駆動されて光ディスク２の径方向に移動可能に構成された光ピックアップ４と、スピンドルモータ３の回転数及び光ピックアップ４が照射するレーザパワーを、それぞれ回転制御部５及びレーザ駆動部６を介して制御するマイクロプロセッサ（ＣＰＵ）７と、光ピックアップ４から出力されるＲＦ信号（再生信号）を処理するＲＦ信号処理部８と、ＲＦ信号処理部８によって変換されたディジタル信号を処理するディジタル信号処理部９と、ディジタル信号処理部９からの出力信号をデコードするデコーダ部１１と、インタフェース部１２を介して外部から入力される信号をエンコードしてディジタル信号処理部９へ出力するエンコーダ部１３と、を備える。
【００１９】
マイクロプロセッサ７には、ＲＡＭ１４とＥＥＰＲＯＭ（ターゲット値メモリ）１５が接続され、ディジタル信号処理部９には、ディジタル信号処理部９によって処理されたデータを一時的に記憶するＲＡＭ１６が接続される。ＥＥＰＲＯＭ１５には、後に詳述するターゲット値が、製品ＩＤ別及び光ディスク２の径方向位置別に細分化されて記憶されている。
【００２０】
光ピックアップ４は、ＲＦ信号処理部８が処理するＲＦ信号（再生信号）に基づいて光ピックアップ４自体に備えられたフォーカスコイル（不図示）及びトラッキングコイル（不図示）がサーボ制御され、常時適正なフォーカスとトラッキングが維持されるように構成されている。
【００２１】
マイクロプロセッサ７は、回転制御部５を介してスピンドルモータ３に所定の回転数を与えることによって、光ディスク２に、ユーザが設定する記録速度に対応した回転を与える。また、マイクロプロセッサ７は、請求項記載の最適記録パワー設定手段、ＩＤ読取手段、ターゲット値読出し手段、記録位置検出手段、ディスク判別手段、設定値有無判別手段、及び記録パワー記憶手段を成し、各手段が奏する機能的側面は、後述の記録手順のフローチャート中において説明される。
【００２２】
また、光ピックアップ４から照射されるレーザ光のパワーは、マイクロプロセッサ７からレーザ駆動部６を介して光ピックアップ４に入力される制御信号によって、光ピックアップ４内の半導体レーザ光源の出力が増減されることによって調整される。
【００２３】
次に、光ディスク記録装置１におけるデータの記録手順について、図２乃至図５を参照して説明する。
【００２４】
マイクロプロセッサ７は、ユーザによって光ディスク２が装填されたことを検知すると（Ｓ１）、光ディスク２に記録されているデータの再生のために制御系（サーボ制御系）を調整し（Ｓ２）、光ピックアップ４を光ディスク２の内周寄り位置へ移動させて光ディスク２に予め記録されている製品ＩＤを含むディスク情報を読取る（Ｓ３）（マイクロプロセッサ７のＩＤ読取手段としての機能）。読取られた製品ＩＤは、ＲＡＭ１４に格納される（Ｓ４）。
【００２５】
次に、マイクロプロセッサ７は、Ｓ３において読取ったディスク情報に基づいて装填された光ディスク２が読取専用ディスクか否かを判別し（Ｓ５）、読取専用ディスクである場合には（Ｓ５においてＹＥＳ）、記録手順を終了し、読取専用ディスクでない場合には（Ｓ５においてＮＯ）、装填された光ディスクが未記録ディスクか否かを判別する（Ｓ６）（マイクロプロセッサ７のディスク判別手段としての機能）。未記録ディスクとは、光ディスク２のデータ記録エリアにデータが記録されていない光ディスク２を意味し、新品の光ディスク２及び一旦記録されたデータが全消去された光ディスク２を含む。
【００２６】
装填された光ディスク２が未記録ディスクの場合（Ｓ６においてＹＥＳ）、マイクロプロセッサ７は、装填された光ディスク２が未記録ディスクであるという情報をＲＡＭ１４に格納し（Ｓ７）、未記録ディスクでない場合（Ｓ６においてＮＯ）には、追記が可能か否かを判別する（Ｓ８）。
【００２７】
追記不能と判別された場合（Ｓ８においてＮＯ）には、データ記録エリアへの新たなデータの記録が不可能であるので、装填された光ディスク２を再生ディスクとして再生の準備を行う（Ｓ９）。
【００２８】
追記可能と判別された場合（Ｓ８においてＹＥＳ）には、光ディスク２のＲＭＡ（Ｒｅｃｏｒｄｉｎｇ  Ｍａｎａｇｅｍｅｎｔ  Ａｒｅａ）に直前記録時における記録パワー（レーザ光のパワー）の設定値が記録されているか否かが判別される（Ｓ１０）（マイクロプロセッサ７の設定値有無判別手段としての機能）。
【００２９】
Ｓ１０において、直前記録時における記録パワーの設定値が記録されていないと判別される場合（Ｓ１０においてＮＯ）には、直前記録時の記録終了位置を読取って（マイクロプロセッサ７の記録位置検出手段としての機能）ＲＡＭ１４に格納し（Ｓ１１）、直前記録時における記録パワーの設定値が記録されていると判別される場合（Ｓ１０においてＹＥＳ）には、直前記録時の記録終了位置を読取る（マイクロプロセッサ７の記録位置検出手段としての機能）と共に、ＲＭＡに記録された直前記録時における記録パワーの設定値を読取って、両方の値をＲＡＭ１４に格納する（Ｓ１２）。
【００３０】
光ディスク２のＲＭＡに直前記録時における記録パワーの設定値が記録されている場合の具体例について説明する。光ディスク２のＲＭＡに直前記録時における記録パワーの設定値が記録されている場合の具体例としては、光ディスク２への直前記録が同一の光ディスク記録装置１によって行われた場合、同一メーカ製であり同一機能を備える別の光ディスク記録装置によって行われた場合、又は他メーカ製の光ディスク記録装置であるが光ディスク２への直前記録時の記録パワーを記録終了時にＲＭＡに記録する機能を有する光ディスク記録装置によって行われた場合が挙げられる。
【００３１】
なお、直前記録時における記録パワーの設定値が記録される光ディスク２上の領域は、ＲＭＡに限定されず、データ記録エリア以外の適宜の領域であればよい。
【００３２】
ここで、光ディスク記録装置１は、装填された光ディスク２へデータを記録する準備が完了し（Ｓ１３）、ユーザがリモコン等の入力装置（不図示）を用いて記録開始を選択すると（Ｓ１４）、マイクロプロセッサ７は、その記録がその光ディスク２についての新規な（最初の）記録か否かを判別する（Ｓ１５）。
【００３３】
Ｓ１５において、その光ディスク２について新規な記録であると判別された場合（Ｓ１５においてＹＥＳ）には、マイクロプロセッサ７は、ＲＡＭ１４に格納されている製品ＩＤを読出し、ＥＥＰＲＯＭ１５に記憶されたターゲット値の中から製品ＩＤに対応するターゲット値であって、光ディスク２の径方向最内周位置に対応するターゲット値を読出し、そのターゲット値を後述する最適記録パワー設定処理における基準のターゲット値として設定する（Ｓ１６）。
【００３４】
Ｓ１５において、その光ディスク２について新規な記録ではないと判別された場合（Ｓ１５においてＮＯ）には、マイクロプロセッサ７は、光ディスク２のＲＭＡに直前記録時における記録パワーの設定値が記録されているか否かを判別する（Ｓ１７）。
【００３５】
Ｓ１７において、直前記録時における記録パワーの設定値が記録されていないと判別される場合（Ｓ１７においてＮＯ）には、マイクロプロセッサ７は、ＲＡＭ１４に格納されている直前記録時の記録終了位置を読出し（Ｓ１８）、その後ＲＡＭ１４に格納されている製品ＩＤを読出し、ＥＥＰＲＯＭ１５に記憶されたターゲット値の中から製品ＩＤに対応するターゲット値であって、Ｓ１８において取得した記録終了位置に最も近い領域のターゲット値を読出し（マイクロプロセッサ７のターゲット値読出し手段としての機能）、そのターゲット値を後述する最適記録パワー設定処理における基準のターゲット値として設定する（Ｓ１９）。
【００３６】
ここで、ＥＥＰＲＯＭ１５内に記憶されているターゲット値の構成について説明する。ＥＥＰＲＯＭ１５内に記憶されたターゲット値は、例えば図６（ａ）に示されるように、光ディスク２の径方向位置ごとに細分化されて記憶されている。具体的には、光ディスク２の２４〜３５ｍｍの領域（最内周の領域）に対するターゲット値がＴ１であり、３５〜４５ｍｍの領域に対するターゲット値がＴ２であり、４５〜５５ｍｍの領域に対するターゲット値がＴ３であり、５５〜５８ｍｍの領域（最外周の領域）に対するターゲット値がＴ４である。
【００３７】
従って、例えば、Ｓ１８において読出された直前記録時の記録終了位置が４０ｍｍである場合には、Ｓ１９において設定されるターゲット値は、Ｔ２である。
【００３８】
また、図６（ａ）に示されるターゲット値の構成は、特定の製品ＩＤに対応するものであり、ＥＥＰＲＯＭ１５内には、図６（ａ）に示されるターゲット値の構成に相当する構成が製品ＩＤ別に複数記憶されている。
【００３９】
図３のフローチャートに戻って説明する。Ｓ１７において、直前記録時における記録パワーの設定値が記録されていると判別される場合（Ｓ１７においてＹＥＳ）には、マイクロプロセッサ７は、ＲＡＭ１４に格納されている直前記録時の記録終了位置と記録パワーを読出して取得する（Ｓ２０）（マイクロプロセッサ７の記録パワー記憶手段としての機能）。その後ＲＡＭ１４に格納されている製品ＩＤを読出し、ＥＥＰＲＯＭ１５に記憶されたターゲット値の中から製品ＩＤに対応するターゲット値であって、Ｓ２０において取得した記録終了位置に最も近い領域のターゲット値を読出し、そのターゲット値を後述する最適記録パワー設定処理における基準のターゲット値として設定する（Ｓ２１）。
【００４０】
なお、Ｓ１８及びＳ２０において光ディスク２から読出される直前記録時の記録終了位置は、次の記録時の記録開始位置に相当し、請求項１における光ディスク２に対してデータの記録を行うときの径方向における記録位置の検出処理は、Ｓ１８とＳ２０における記録終了位置の取得処理に相当する。
【００４１】
そして、Ｓ２０において取得された直前記録時の記録パワーの設定値は、マイクロプロセッサ７によって直接最適記録パワーに設定され（Ｓ２２）、マイクロプロセッサ７は、そのパワーでもって光ピックアップ４からレーザ光を光ディスク２へ照射して記録を開始する（Ｓ３２）。従って、この場合には後述する最適記録パワーを設定する処理が省略されるので、Ｓ１４においてユーザが記録の開始を選択してから短時間のうちにデータの記録が開始される。
【００４２】
Ｓ１６及びＳ１９において最適記録パワー設定処理における基準のターゲット値が設定された場合は、最適記録パワーを設定するためのテストデータの記録が開始される（Ｓ２３）。
【００４３】
マイクロプロセッサ７は、光ピックアップ４を光ディスク２のＰＣＡにフィード移動させ、光ピックアップ４から照射するレーザ光のパワーを変化させながら所定の間隔でテストデータをＰＣＡに記録し（Ｓ２４）、記録されたテストデータを再生して得られる再生ＲＦ信号のレベルを測定する（Ｓ２５）。
【００４４】
次に、マイクロプロセッサ７は、得られた再生ＲＦ信号からアシンメトリ値を算出し（Ｓ２６）、算出したアシンメトリ値がＳ１６及びＳ１９において設定されたターゲット値と一致するか否かを判別する（Ｓ２７）。
【００４５】
算出されたアシンメトリ値がターゲット値と一致する場合（Ｓ２７においてＹＥＳ）には、マイクロプロセッサ７は、一致したときのレーザパワーを最適記録パワーとして設定して（Ｓ２８）、データの記録を開始する（Ｓ３２）。
【００４６】
算出されたアシンメトリ値がターゲット値と一致しない場合（Ｓ２７においてＮＯ）には、マイクロプロセッサ７は、算出したアシンメトリ値の方がターゲット値よりも大きいか否かを判別し（Ｓ２９）、大きい場合には（Ｓ２９においてＹＥＳ）、テストデータを記録するレーザ光のパワーを小さく設定して（Ｓ３０）、再びＳ２３に戻って最適記録パワーの設定処理を繰返し、算出したアシンメトリ値の方がターゲット値よりも小さい場合には（Ｓ２９においてＮＯ）、テストデータを記録するレーザ光のパワーを大きく設定して（Ｓ３１）、再びＳ２３に戻って最適記録パワーの設定処理を繰返す。Ｓ２３乃至Ｓ３１の処理が最適記録パワーの設定処理に相当する。
【００４７】
次に、データの記録中における最適記録パワーの調整処理及び記録終了時の処理について、図５を参照して説明する。
【００４８】
マイクロプロセッサ７は、データの記録中に記録済み箇所を再生し、得られる再生ＲＦ信号のレベルを測定すると共に、記録位置の監視を行う（Ｓ３３）。また、マイクロプロセッサ７は、得られた再生ＲＦ信号からアシンメトリ値を算出し（Ｓ３４）、現在設定されているターゲット値が現在記録中の位置に対して適正な値であるか否かを判別する（Ｓ３５）。
【００４９】
ここで、現在設定されているターゲット値が現在の記録位置に対して適正な値であるか否かを判別する理由について簡単に説明する。光ピックアップ４の光ディスク２に対する記録位置は、データの記録が進行するに伴って光ディスク２の外周方向へ移動されるので、適正なターゲット値が変化する。例えば、光ピックアップ４が光ディスク２の径方向３０ｍｍの位置から４０ｍｍの位置へ移動する場合には、図６（ａ）に示されるように、ターゲット値はＴ１からＴ２へ変化する。このような理由で現在設定されているターゲット値が現在の記録位置に対して適正か否かが、データの記録が進行する間監視される。
【００５０】
Ｓ３５における判別の結果、現在設定されているターゲット値が適正な値である場合（Ｓ３５においてＹＥＳ）には、マイクロプロセッサ７は、Ｓ３４において算出したアシンメトリ値が現在設定されているターゲット値と一致するか否かを判別する（Ｓ３７）。現在設定されているターゲット値が上記の理由によって適正な値ではなくなっている場合（Ｓ３５においてＮＯ）には、マイクロプロセッサ７は、Ｓ３３で取得した現在の記録位置に基づいてＥＥＰＲＯＭ１５から適正なターゲット値を読出し、新たなターゲット値として設定する（Ｓ３６）。
【００５１】
Ｓ３７における判別の結果、Ｓ３４において算出したアシンメトリ値が現在設定されているターゲット値と一致する場合（Ｓ３７においてＹＥＳ）には、マイクロプロセッサ７は、データ記録のためのレーザパワーの設定値を維持してデータの記録を継続する（Ｓ３８）。
【００５２】
Ｓ３７における判別の結果、Ｓ３４において算出したアシンメトリ値が現在設定されているターゲット値と一致しない場合（Ｓ３７においてＮＯ）には、マイクロプロセッサ７は、算出したアシンメトリ値の方がターゲット値よりも大きいか否かを判別し（Ｓ３９）、大きい場合には（Ｓ３９においてＹＥＳ）、テストデータを記録するレーザ光のパワーを小さく設定して（Ｓ４０）、再びＳ３３に戻り、算出したアシンメトリ値の方がターゲット値よりも小さい場合には（Ｓ３９においてＮＯ）、テストデータを記録するレーザ光のパワーを大きく設定して（Ｓ４１）、再びＳ３３に戻って記録中における最適記録パワーの調整処理を繰返す。
【００５３】
Ｓ３３乃至Ｓ４１の処理（最適記録パワーの調整処理）によって、記録中のデータ記録のためのレーザパワーが適正に維持される。
【００５４】
次に、ユーザによって記録の停止が選択され、又はデータ記録エリアの残容量がゼロに近づくと（Ｓ４２）、マイクロプロセッサ７は、データの記録の停止準備を行う（Ｓ４３）。
【００５５】
マイクロプロセッサ７は、データ記録エリアの残容量があるか否かを判別し（Ｓ４４）、残容量がない場合には（Ｓ４４においてＮＯ）、データの記録を停止する（Ｓ４５）。
【００５６】
残容量がある場合には（Ｓ４４においてＹＥＳ）、マイクロプロセッサ７は、記録終了位置と記録終了直前のレーザパワーの設定値を光ディスク２のＲＭＡに記録し（Ｓ４６）、記録した箇所をベリファイ（Ｓ４７）した後、記録を終了する（Ｓ４５）。Ｓ４６においてＲＭＡに記録された記録終了位置と記録終了直前のレーザパワーの設定値は、マイクロプロセッサ７によって次回のデータ記録のときに読取られる（Ｓ１１及びＳ１２）。
【００５７】
以上のように、本実施形態の光ディスク記録装置１では、ＥＥＰＲＯＭ（ターゲット値メモリ）１５に記憶されるターゲット値が、製品ＩＤ別に記憶されると共に、径方向位置（データの記録位置）ごとに細分化されて記憶され、装填された光ディスク２が未記録ディスクである場合、又は既記録ディスクであって直前記録時の記録パワーが記録されていない場合に、マイクロプロセッサ７が、記録位置に対応するターゲット値を読出し、そのターゲット値に基づいて最適記録パワーの設定を行うので、光ディスク２の全周に対する記録品質が向上される。
【００５８】
また、装填された光ディスク２が既記録ディスクであって、直前記録時の記録パワーが記録されている場合には、マイクロプロセッサ７は、記録されている直前記録時の記録パワーをそのまま最適記録パワーとして設定し、データの記録を開始するので、ユーザが記録開始を選択してから短時間のうちにデータの記録が開始される。
【００５９】
なお、ＥＥＰＲＯＭ１５に記憶される径方向位置ごとのターゲット値は、図６（ａ）に示されるように、いくつかの領域ごとに分けて記憶されるのではなく、径方向の位置Ｘをパラメータとする所定の関数Ｆ（Ｘ）で与えられるものであってもよい。
【００６０】
また、ＥＥＰＲＯＭ１５に記憶されるターゲット値が、さらに記録速度ごとに細分化されて記憶され、データの記録が行われるときに、ユーザが選択した記録速度に応じたターゲット値が読出されるようにしてもよい。
【００６１】
例えば、ターゲット値メモリの構成が、図６（ｂ）及び図６（ｃ）に示されるように、低速記録用と高速記録用に分けて記憶され、ユーザが、図３のフローチャートのＳ１４における記録開始を選択するときに、同時に記録速度として高速記録と低速記録のいずれかを選択するようにする。
【００６２】
そして、マイクロプロセッサ７は、Ｓ１６、Ｓ１９及びＳ２１におけるＥＥＰＲＯＭ１５から所定のターゲット値を読出すときに、製品ＩＤ及び記録位置（径方向位置）に基づくと共に、設定された記録速度に基づいてターゲット値を選択して読出すようにする。
【００６３】
例えば、ユーザが低速記録を選択し、記録位置が５０ｍｍの場合には、ターゲット値はＴＬ３が選択され、ユーザが高速記録を選択し、記録位置が４０ｍｍの場合には、ターゲット値はＴＨ２が選択される。
【００６４】
この場合には、最適記録パワー設定のためのアシンメトリ値として、データの記録条件に応じたさらに適正なターゲット値が与えられるので、記録品質がさらに向上する。
【図面の簡単な説明】
【００６５】
【図１】本発明の一実施形態に係る光ディスク記録装置の電気的構成を示すブロック図。
【図２】同光ディスク記録装置におけるデータの記録手順（準備段階）を示すフローチャート。
【図３】同光ディスク記録装置におけるデータの記録手順（最適記録パワー設定のためのターゲット値取得段階）を示すフローチャート。
【図４】同光ディスク記録装置におけるデータの記録手順（最適記録パワーの設定段階）を示すフローチャート。
【図５】同光ディスク記録装置におけるデータの記録手順（記録中における最適記録パワーの調整及び記録停止段階）を示すフローチャート。
【図６】（ａ）は、ＥＥＰＲＯＭにおける径方向位置ごとに記憶されたターゲット値の構成を示す図、（ｂ）は、同ＥＥＰＲＯＭにおける低速記録用の径方向位置ごとに記憶されたターゲット値の構成を示す図、（ｃ）は、同ＥＥＰＲＯＭにおける高速記録用の径方向位置ごとに記憶されたターゲット値の構成を示す図。
【符号の説明】
【００６６】
１  光ディスク記録装置
２  光ディスク
４  光ピックアップ
７  マイクロプロセッサ（最適記録パワー設定手段、ＩＤ読取手段、ターゲット値読出し手段、記録位置検出手段、ディスク判別手段、設定値有無判別手段、記録パワー記憶手段、記録条件検出手段）
１５  ＥＥＰＲＯＭ（ターゲット値メモリ）
Ｔ１〜Ｔ４、ＴＬ１〜ＴＬ４、ＴＨ１〜ＴＨ４  ターゲット値
【図１】
2007310973.tif 000003
【図２】
2007310973.tif 000004
【図３】
2007310973.tif 000005
【図４】
2007310973.tif 000006
【図５】
2007310973.tif 000007
【図６】
2007310973.tif 000008